(57)【特許請求の範囲】
【請求項１】
所定の人物に関する音声データ、画像データおよび文字データの少なくともいずれかを含む複数のメッセージデータを記録するデータ記録部と、当該データ記録部に記録された前記メッセージデータに対する再生処理を実行する制御部とを備えた再生装置であって、
周囲の環境に応じた所定のセンサ信号を出力するセンサ部、および現在日時についての日時データを出力する内部時計の少なくともいずれかと、当該再生装置の周囲における人体の存在を感知する人体感知手段とを備え、前記制御部は、前記人体感知手段によって前記人体が感知されたときに、前記センサ信号に対応する前記環境、および前記日時データから特定される前記現在日時の少なくともいずれかに予め関連付けられた前記メッセージデータに対する前記再生処理を実行することを特徴とする再生装置。
【請求項２】
前記センサ部は、温度センサ、湿度センサ、光センサおよび振動検出用センサの少なくともいずれかを備えて構成されていることを特徴とする請求項１記載の再生装置。
【請求項３】
前記人体感知手段は、赤外線センサ、光センサおよび動体感知センサの少なくともいずれかを備えて構成されていることを特徴とする請求項１または２記載の再生装置。
【請求項４】
再生する前記メッセージデータを任意に指定するためのデータ指定手段を備え、前記制御部は、前記データ指定手段によって指定された前記メッセージデータに対して前記再生処理を実行することを特徴とする請求項１から３のいずれかに記載の再生装置。
【請求項５】
請求項１から４のいずれかに記載の再生装置と、前記データ記録部に記録する前記メッセージデータを入力するためのデータ入力手段とを備えた記録再生装置であって、
前記データ入力手段は、前記所定の人物の音声を入力して当該音声に応じた音声信号を出力する音声入力部、前記所定の人物を撮像して画像信号を出力する画像入力部、および前記所定の人物に関する前記文字データを入力するための操作部の少なくともいずれかを備えて構成され、前記制御部は、前記音声信号をデータ変換した前記音声データ、前記画像信号をデータ変換した前記画像データ、および前記操作部を介して入力された文字についての前記文字データの少なくともいずれかを前記メッセージデータとして前記データ記録部に記録することを特徴とする記録再生装置。
【請求項６】
前記メッセージデータを装置外部から入力するためのインターフェース部を備え、前記制御部は、前記インターフェース部を介して入力した前記メッセージデータを前記データ記録部に記録することを特徴とする請求項５記載の記録再生装置。
【発明の詳細な説明】
【０００１】
【発明の属する技術分野】
本発明は、故人などの所定の人物に関する音声データ、画像データおよび文字データなどのメッセージデータを再生する再生装置、およびそのメッセージデータを記録可能に構成された記録再生装置に関するものである。
【０００２】
【従来の技術】
この種の再生装置として、特開平９−１５４７０９号公報に開示のマルチメディア位牌およびデータ制御再生装置が存在する。この従来のマルチメディア位牌およびデータ制御再生装置では、後に再生する故人の声（音声データ）、故人の画像（画像データ）および故人のメッセージや経歴（文字データ）などの各種データ（以下、「メッセージデータ」ともいう）がマルチメディア位牌に内蔵の記憶部に予め記憶される。そして、各メッセージデータの再生時には、データ制御再生装置のキーボードを操作して再生すべきデータを指定する。これにより、データ制御再生装置によってマルチメディア位牌の記憶部から音声データ、画像データおよび文字データが読み出されて、各メッセージデータに基づく音声、画像、メッセージおよび経歴などが再生される。
【０００３】
一方、実用新案登録第３０４１９９１号の電脳仏壇では、メッセージデータを記録および再生するために汎用のコンピュータが使用されている。また、この電脳仏壇では、再生すべきメッセージデータを通信回線を介してホストコンピュータに記憶させ、再生時には通信回線を介してホストコンピュータからメッセージデータを受信する。この電脳仏壇の使用に際しては、メッセージデータを再生する者（以下、「オペレータ」ともいう）に対して各人を特定するためのＩＤカードを予め付与しておく。また、メッセージデータの再生時には、まず、ＩＤカードを読み取らせ、電脳仏壇に対してオペレータを特定させる。この後、電脳仏壇に内蔵のコンピュータが、特定したオペレータに対応して予め設定されたメニュー画面を表示部に表示させ、オペレータのキーボード操作によって選択されるメッセージデータをホストコンピュータから受信して再生する。
【０００４】
【発明が解決しようとする課題】
ところが、従来の再生装置には、以下の問題点がある。すなわち、従来の再生装置では、オペレータがキーボード操作することにより、再生すべきメッセージデータを選択して再生させている。したがって、再生を指示するオペレータの趣向によって選択されるメッセージデータが特定のメッセージデータに集中してパターン化してしまうという問題点がある。また、従来の再生装置では、故人に関する多数のメッセージデータが記録されていたとしても、遺族のいずれかが再生装置に対して再生を指示しない限り、記録されているメッセージデータが再生されないこととなる。この場合、例えば、故人が他界する前に、自らの意志や、忘れて欲しくない事柄を子孫（遺族）に伝えるべく、各種のメッセージを記録しておくといった再生装置の使用方法が考えられる。しかし、従来の再生装置では、前述したように、遺族のいずれかがキーボードを操作しない限りメッセージデータが再生されないため、故人の意志に反して、これらのメッセージが再生されないおそれがあるという問題点が存在する。さらに、従来の再生装置では、キーボード操作によって再生すべきメッセージデータを指定しているため、キーボードの操作に不慣れな者にとっては、再生すべきメッセージデータの指示が非常に困難となっているという問題点もある。
【０００５】
本発明は、かかる問題点に鑑みてなされたものであり、再生するメッセージデータを多様性に富みしかも容易に再生可能な再生装置を提供することを主目的とする。また、記録されているメッセージデータを自動再生可能な再生装置または記録再生装置を提供することを他の目的とする。
【０００６】
【課題を解決するための手段】
上記目的を達成すべく請求項１記載の再生装置は、所定の人物に関する音声データ、画像データおよび文字データの少なくともいずれかを含む複数のメッセージデータを記録するデータ記録部と、当該データ記録部に記録された前記メッセージデータに対する再生処理を実行する制御部とを備えた再生装置であって、周囲の環境に応じた所定のセンサ信号を出力するセンサ部、および現在日時についての日時データを出力する内部時計の少なくともいずれかと、当該再生装置の周囲における人体の存在を感知する人体感知手段とを備え、前記制御部は、前記人体感知手段によって前記人体が感知されたときに、前記センサ信号に対応する前記環境、および前記日時データから特定される前記現在日時の少なくともいずれかに予め関連付けられた前記メッセージデータに対する前記再生処理を実行することを特徴とする。
【０００７】
請求項２記載の再生装置は、請求項１記載の再生装置において、前記センサ部は、温度センサ、湿度センサ、光センサおよび振動検出用センサの少なくともいずれかを備えて構成されていることを特徴とする。
【０００９】
請求項３記載の再生装置は、請求項１または２記載の再生装置において、前記人体感知手段は、赤外線センサ、光センサおよび動体感知センサの少なくともいずれかを備えて構成されていることを特徴とする。
【００１０】
請求項４記載の再生装置は、請求項１から３のいずれかに記載の再生装置において、再生する前記メッセージデータを任意に指定するためのデータ指定手段を備え、前記制御部は、前記データ指定手段によって指定された前記メッセージデータに対して前記再生処理を実行することを特徴とする。
【００１１】
請求項５記載の記録再生装置は、請求項１から４のいずれかに記載の再生装置と、前記データ記録部に記録する前記メッセージデータを入力するためのデータ入力手段とを備えた記録再生装置であって、前記データ入力手段は、前記所定の人物の音声を入力して当該音声に応じた音声信号を出力する音声入力部、前記所定の人物を撮像して画像信号を出力する画像入力部、および前記所定の人物に関する前記文字データを入力するための操作部の少なくともいずれかを備えて構成され、前記制御部は、前記音声信号をデータ変換した前記音声データ、前記画像信号をデータ変換した前記画像データ、および前記操作部を介して入力された文字についての前記文字データの少なくともいずれかを前記メッセージデータとして前記データ記録部に記録することを特徴とする。
【００１２】
請求項６記載の記録再生装置は、請求項５記載の記録再生装置において、前記メッセージデータを装置外部から入力するためのインターフェース部を備え、前記制御部は、前記インターフェース部を介して入力した前記メッセージデータを前記データ記録部に記録することを特徴とする。
【００１３】
【発明の実施の形態】
以下、添付図面を参照して、本発明に係る記録再生装置の好適な実施の形態について説明する。
【００１４】
最初に、記録再生装置１の構成について、図面を参照して詳細に説明する。
【００１５】
記録再生装置１は、図１に示すように、表示部１１、スピーカ１２，１２、ＣＣＤカメラ１３、マイク１４、ＨＤＤ（ハードディスク）１５、インターフェース部１６、人体感知用センサ１７、温度センサ１８、湿度センサ１９、振動検出用センサ２０、内部時計２１、制御部２２、ＲＡＭ２３およびＲＯＭ２４を備えている。表示部１１は、特に限定されないが、例えばカラー表示可能なＬＣＤパネルで構成され、制御部２２の制御下で後述する画像入力信号ＳPIに基づく各種画像を表示する。スピーカ１２は、図２に示すように、記録再生装置１の筐体における左右両側面に１つずつ配設され（同図では１方のスピーカ１２のみを図示する）、制御部２２の制御下で後述する音声入力信号ＳSIに基づく各種音声を放音する。ＣＣＤカメラ１３は、筐体の正面中央上側に配設されて制御部２２の制御下で記録再生装置１の正面方向を撮像し、再生対象の画像データＤｐを生成するための画像入力信号ＳPIを出力する。マイク１４は、筐体の正面中央下側に配設されて記録再生装置１の周囲の音を集音し、再生対象の音声データＤｓや文字データＤｔなどを生成するための音声入力信号ＳSIを出力する。ＨＤＤ１５は、本発明におけるデータ記録部に相当し、故人に関する静止画や動画から形成される画像データＤｐ、音声データＤｓおよび文字データＤｔなどのメッセージデータや、メッセージデータの再生時に背景画として表示させる画像や映像に関する背景画データ、およびバックグランドミュージックとしての音楽や音声に関する音声データなどを記録する。
【００１６】
インターフェース部１６は、図１に示すように、外部機器接続端子１６ａ、画像信号入力端子１６ｂおよび音声信号入力端子１６ｃを備えている。外部機器接続端子１６ａは、通信ケーブルを接続可能に構成され、この通信ケーブルを介して図示しない外部装置との間で画像データＤｐ、音声データＤｓおよび文字データＤｔなどを相互に入出力可能に構成されている。また、この記録再生装置１では、通信モデム（図示せず）やパーソナルコンピュータなどを外部機器接続端子１６ａに接続することで、公衆通信網や通信ケーブルを介して記録再生装置１を遠隔操作が可能となっている。画像信号入力端子１６ｂおよび音声信号入力端子１６ｃは、画像信号入出力用の信号ケーブルおよび音声信号入出力用の信号ケーブルをそれぞれ接続可能に構成されている。したがって、両信号ケーブルを介してビデオカメラや再生デッキなどの外部再生装置を接続することにより、外部再生装置から出力される画像入力信号ＳPIおよび音声入力信号ＳSIを入力することが可能となっている。
【００１７】
人体感知用センサ１７は、本発明における人体感知手段に相当し、例えば動体感知センサが採用されている。この人体感知用センサ１７は、図２に示すように、記録再生装置１の筐体における正面上側に配設され、記録再生装置１の正面において人体が移動した際に所定のセンサ信号Ｓｈを制御部２２に出力する。温度センサ１８は、記録再生装置１の周囲温度に応じたセンサ信号Ｓｔを制御部２２に出力する。湿度センサ１９は、記録再生装置１の周囲湿度に応じたセンサ信号Ｓｌを制御部２２に出力する。振動検出用センサ２０は、記録再生装置１に衝撃や振動が加えられた際に、その衝撃や振動に応じたセンサ信号Ｓｖを制御部２２に出力する。内部時計２１は、記録再生装置１を使用する国や地域に応じて予め時刻設定されることにより、現在時刻（年、月、日、曜日、時、分、秒）を特定するための日時データＤｄを制御部２２に出力する。
【００１８】
制御部２２は、画像入力信号ＳPIに基づく画像データＤｐの生成およびＨＤＤ１５への記録と、音声入力信号ＳSIに基づく音声データＤｓの生成およびＨＤＤ１５への記録と、ＨＤＤ１５から読み出した画像データＤｐに基づく画像出力信号ＳPOの生成および表示部１１に対する出力と、ＨＤＤ１５から読み出した音声データＤｓに基づく音声出力信号ＳSOの生成およびスピーカ１２，１２に対する出力と、音声入力信号ＳSIを解析（音声認識処理）して文字変換することによる文字データＤｔの生成およびＨＤＤ１５への記録と、ＨＤＤ１５から読み出した文字データＤｔに基づく表示部１１への文字の表示などを実行する。この場合、制御部２２は、後述するように、人体感知用センサ１７、温度センサ１８、湿度センサ１９および振動検出用センサ２０によって出力される各種センサ信号Ｓｈ，Ｓｔ，Ｓｌ，Ｓｖや、内部時計２１から出力される日時データＤｄに基づいて再生すべき音声データＤｓ、画像データＤｐおよび文字データＤｔを特定し、特定した音声データＤｓ、画像データＤｐおよび文字データＤｔに基づいて画像出力信号ＳPOおよび音声出力信号ＳSOを生成して出力する。さらに、この記録再生装置１では、後述するように、制御部２２は、音声入力信号ＳSIを音声認識処理することによってオペレータの音声によって指示された操作内容を把握して、各種処理を実行する。
【００１９】
ＲＡＭ２３は、制御部２２の演算結果や、ＨＤＤ１５に記録すべき画像データＤｐ、音声データＤｓおよび文字データＤｔ、並びにＨＤＤ１５から読み出した画像データＤｐ、音声データＤｓおよび文字データＤｔなどを一時的に記憶する。ＲＯＭ２４は、制御部２２の動作プログラムを一時的に記憶する。
【００２０】
次に、記録再生装置１を用いたメッセージデータの記録方法について説明する。
【００２１】
この記録再生装置１では、メッセージデータの記録方法として、３つの記録方法が採用されている。第１の記録方法では、ＣＣＤカメラ１３およびマイク１４を用いて画像データＤｐ、音声データＤｓおよび文字データＤｔの基となる画像入力信号ＳPIおよび音声入力信号ＳSIを入力する。この記録方法は、例えば、オペレータが、自らの肉声で子孫に伝えるべきメッセージデータを生前に記録する際に実行される。この方法によるメッセージデータの記録に際しては、まず、記録再生装置１に向かって「メッセージの記録」と話しかける。この際に、制御部２２は、マイク１４から出力される音声入力信号ＳSIを音声認識処理することにより、オペレータがメッセージデータの記録を所望していると判別し、所定の手順に従って記録再生装置１を記録モードに移行させる。次に、この状態で記録再生装置１に向かってメッセージとして残すべき内容を話しかける。この際には、オペレータの姿がＣＣＤカメラ１３によって撮像され、この映像に応じた画像入力信号ＳPIが制御部２２に順次出力されると共に、故人の肉声がマイク１４によって集音され、その肉声に応じた音声入力信号ＳSIが制御部２２に順次出力される。これに応じて、制御部２２は、入力された画像入力信号ＳPIに基づいて画像データＤｐを生成してＨＤＤ１５に記録すると共に、入力され音声入力信号ＳSIに基づいて音声データＤｓを生成してＨＤＤ１５に記録する。
【００２２】
次に、ＨＤＤ１５に記録したメッセージデータに関連付ける条件を設定する。この場合、この記録再生装置１では、ＨＤＤ１５に記録したメッセージデータを再生する条件（関連付ける条件）として、日付や時間による日時条件、気温、湿度、地震および火事などの環境条件、並びに子孫によるマニュアル選択条件を設定することができる。具体的には、例えば、「今日は○○が生まれた日だね」とのメッセージを所定の日付に関連付けたり、「おはよう」や「おやすみ」とのメッセージを所定の時間帯に関連付けたり、「今日は蒸し暑いね」や「ずいぶん寒くなったね」とのメッセージを所定の温度や湿度に関連付けたりすることができる。また、「地震だぞ」や「火事だぞ」というメッセージを振動状態や温度に関連付けたり、「人の振り見て我が振り直せ」や「車にばかり乗らないで歩く事は大切だよ」というメッセージを任意に選択可能に設定したりすることができる。このように、オペレータの肉声によるメッセージデータの記録と、そのメッセージデータに関連付ける条件設定とを行うことにより、ＨＤＤ１５には、オペレータの肉声や姿を再生可能な各種のメッセージデータが各種の条件に関連付けられて記録される。
【００２３】
一方、第２の記録方法では、外部装置を用いて生成したメッセージデータをインターフェース部１６の外部機器接続端子１６ａを介して記録再生装置１に入力する。例えば、パーソナルコンピュータ上で生成したメッセージデータを記録する際には、外部機器接続端子１６ａに通信ケーブルを接続する。次に、所定の操作によってパーソナルコンピュータからメッセージデータを出力する。この際に、制御部２２は、通信ケーブルを介して入力されるメッセージデータをＨＤＤ１５に順次記録する。次いで、前述したように、ＨＤＤ１５に記録したメッセージデータに関連付ける条件を設定する。このように、外部装置によって生成したメッセージデータの入力および記録と、そのメッセージデータに関連付ける条件の設定とを行うことにより、ＨＤＤ１５には、各種のメッセージデータが各種の条件に関連付けられて記録される。
【００２４】
また、第３の記録方法では、例えばビデオカメラによって撮像したオペレータに関する映像や音声をインターフェース部１６の画像信号入力端子１６ｂおよび音声信号入力端子１６ｃを介して入力する。この際には、ビデオカメラまたは再生用デッキと、画像信号入力端子１６ｂおよび音声信号入力端子１６ｃとを信号ケーブルで接続する。次に、所定の操作によってビデオ映像を再生する。この際に、制御部２２は、信号ケーブルを介して入力される画像入力信号ＳPIおよび音声入力信号ＳSIに基づいて画像データＤｐおよび音声データＤｓを順次生成してＨＤＤ１５に記録する。次いで、前述したように、ＨＤＤ１５に記録したメッセージデータに関連付ける条件を設定する。このように、画像信号入力端子１６ｂおよび音声信号入力端子１６ｃを介しての画像入力信号ＳPIおよび音声入力信号ＳSIの入力と、画像データＤｐおよび音声データＤｓの生成および記録と、そのメッセージデータに関連付ける条件の設定とを行うことにより、ＨＤＤ１５には、各種のメッセージデータが蓄積される。
【００２５】
次いで、記録再生装置１によるメッセージデータの再生方法について、図３を参照して説明する。
【００２６】
この記録再生装置１は、図示しない電源スイッチが投入された際に、同図に示すメッセージデータ再生処理３０を実行する。この際に、制御部２２は、まず、人体感知用センサ１７から出力されるセンサ信号Ｓｈを監視することにより、記録再生装置１の正面にオペレータが存在するか否かを判別する（ステップ３１）。この際に、人体感知用センサ１７からオペレータ（人体）が存在する旨のセンサ信号Ｓｈが出力されたときには、制御部２２は、ＨＤＤ１５からオープニング画面についての画像データをＨＤＤ１５から読み出して画像出力信号ＳPOを生成して表示部１１に出力する。これにより、表示部１１にオープニング画面が表示される（ステップ３２）。次に、制御部２２は、内部時計２１から現在日時に関する日時データＤｄを取得してＲＡＭ２３に記憶させる（ステップ３３）。次いで、制御部２２は、取得した日時データＤｄの日付に基づく季節に対応して予め設定された背景画と音楽（バックグランドミュージック）を再生する（ステップ３４）。
【００２７】
続いて、制御部２２は、取得した日時データＤｄの時刻に関連付けられて記録されているメッセージデータを再生する（ステップ３５）。具体的には、例えば、現在時刻が午前６時の場合、制御部２２は、午前６時を含む時間帯に関連付けられたメッセージデータをＨＤＤ１５から読み出す。次に、制御部２２は、読み出したメッセージデータ（例えば画像データＤｐおよび音声データＤｓ）に基づいて画像出力信号ＳPOおよび音声出力信号ＳSOを生成し、表示部１１およびスピーカ１２，１２に出力する。これにより、スピーカ１２，１２から故人の肉声で例えば「おはよう」という音声が放音されると共に話しかけている故人の姿が表示部１１に表示される。
【００２８】
次いで、制御部２２は、温度センサ１８のセンサ信号Ｓｔと、湿度センサ１９のセンサ信号Ｓｌとに基づいて、記録再生装置１の周囲の温度および湿度に関する温度データおよび湿度データを生成してＲＡＭ２３に記憶させる（温度データおよび湿度データの取得、ステップ３６）。次に、制御部２２は、記憶させた両データに基づいて、その温度および湿度に関連付けられて記録されているメッセージデータを再生する（ステップ３７）。具体的には、例えば、気温が１８℃で湿度が１０％の場合、制御部２２は、気温１８℃、湿度１０％を含む所定温湿度域に関連付けられたメッセージデータをＨＤＤ１５から読み出す。次いで、制御部２２は、読み出したメッセージデータに基づいて画像出力信号ＳPOおよび音声出力信号ＳSOを生成し、表示部１１およびスピーカ１２，１２に出力する。これにより、スピーカ１２，１２から故人の肉声で例えば「今日は過ごしやすいね」という音声が放音されると共に話しかけている故人の姿が表示部１１に表示される。
【００２９】
続いて、制御部２２は、ＲＡＭ２３に記憶させた日時データＤｄの日付に応じて、その日付に関連付けられてＨＤＤ１５に記録されたメッセージデータが存在するか否かを判別する（ステップ３８）。この際に、その日付に関連付けられたメッセージデータがＨＤＤ１５内に存在する場合、制御部２２は、そのメッセージデータを読み出して再生する（ステップ３９）。これにより、スピーカ１２，１２から故人の肉声で例えば「今日は私の父親が亡くなった日だよ。線香をあげておくれ。」といった音声が放音されると共に話しかけている故人の姿が表示部１１に表示される。このメッセージの再生が完了したとき、または、ステップ３８において関連付けられたメッセージデータが存在しないと判別したときには、制御部２２は、指定再生操作によってオペレータから所定のメッセージデータの再生が指示されているか否かを判別する（ステップ４０）。
【００３０】
具体的には、制御部２２は、マイク１４から出力される音声入力信号ＳSIを音声認識処理することにより、オペレータが再生を指示する音声を発しているか否かを判別する。この際に、オペレータによって、メッセージデータの再生を実行する旨の音声（指示）が発せられた場合、制御部２２は、ＨＤＤ１５に記録されているメッセージデータについての情報を表示部１１に一覧表示させる。この際に、オペレータが音声によって所定のメッセージデータを指定したときには、制御部２２は、指定されたメッセージデータをＨＤＤ１５から読み出して再生する（ステップ４１）。これにより、スピーカ１２，１２から故人の肉声で例えば「苦労は買ってでもしろ」といった音声が放音されると共に話しかけている故人の姿が表示部１１に表示される。このメッセージの再生が完了したとき、または、ステップ４０において、オペレータによる指示がないと判別したときには、制御部２２は、例えばステップ３９の再生処理が完了してから所定時間が経過したか否かを判別しつつ（ステップ４２）、ステップ４０に戻って指定再生操作の有無を監視する。この際に、所定時間が経過しても指定再生操作がないと判別したときには、制御部２２は、エンディング画面を表示部１１に表示させた後（ステップ４３）、ステップ３１に戻ってオペレータ（人体）の存在の有無を監視する。
【００３１】
一方、この記録再生装置１では、地震や火災の発生時に、故人の肉声で記録されたメッセージを再生することもできる。具体的には、例えば地震発生時には、制御部２２は、振動検出用センサ２０のセンサ信号Ｓｖに基づいて地震の発生を感知する。この際に、制御部２２は、所定の振動状態に関連付けられたメッセージデータをＨＤＤ１５から読み出して再生する。これにより、スピーカ１２，１２から「地震だぞ、気を付けろ」という音声が放音される。また、例えば火災発生時には、制御部２２は、温度センサ１８のセンサ信号Ｓｔに基づいて火災の発生を感知する。この際に、制御部２２は、所定温度に関連付けられたメッセージデータをＨＤＤ１５から読み出して再生する。これにより、スピーカ１２，１２から「火事だぞ、逃げろ」という音声が放音される。
【００３２】
このように、この記録再生装置１によれば、記録再生装置１の周囲にオペレータが存在することを条件としてメッセージデータを自動再生するため、例えば、この記録再生装置１を玄関に置いておくだけで、この記録再生装置１の前をオペレータが通過したときにメッセージデータが自動的に再生される。したがって、キーボードを操作してメッセージデータを再生させる従来の再生装置とは異なり、故人が生前に残したメッセージを定期的かつ容易に再生することができる。また、この記録再生装置１によれば、各種センサのセンサ信号によって特定される環境（温度、湿度、振動状態）、および内部時計２１から取得した日時データＤｄによって特定される日付や時刻に応じて、制御部２２が、予め関連付けられたメッセージデータを読み出して再生することにより、キーボードを操作して再生すべきメッセージデータを選択する従来の再生装置とは異なり、再生時の環境や日時などのその際の状況に合致する故人による多種多様なメッセージデータを自動選択して確実かつ容易に再生することができる。したがって、例えば、遺族に対して、故人が恰もその場に存在してその考えなども伝達することができる結果、遺族も今まで以上に故人を偲ぶことができる。また、故人にとっては、自らの生き方や考え方を手軽にかつ確実に遺族に伝えることもできる。また、キーボードの操作に不慣れなオペレータであっても、故人のメッセージを容易に見聞きすることができる。
【００３３】
さらに、この記録再生装置１によれば、温度、湿度、振動状態および日時に応じたメッセージを再生した後、再生を所望するメッセージデータをオペレータによって選択可能に構成したことにより、記録再生装置１によって自動的に再生されるメッセージに加えて、オペレータが所望する任意のメッセージを自由に再生することができる。この場合、この記録再生装置１では、制御部２２が、音声入力信号ＳSIを音声認識処理によってオペレータの指示を判別し、その指示に応じた処理を実行するように構成したことにより、キーボードの操作に不慣れなオペレータであっても所望のメッセージを容易に指定して再生することができる。
【００３４】
なお、本発明は、上記本発明の実施の形態に示した構成に限定されない。例えば、本発明の実施の形態では、人体感知用センサ１７から出力されるセンサ信号Ｓｈに基づいて制御部２２が記録再生装置１の前にオペレータ（人体）が存在すると判別したときにメッセージデータを再生する例を挙げて説明したが、本発明に係る再生装置および記録再生装置の構成はこれに限定されない。また、記録再生装置１の正面に扉を配設すると共に、その扉の内側に光センサやプッシュスイッチを設けて扉の開閉を検知し、扉が開けられたときにメッセージデータの再生を開始する構成を採用することもできる。また、ＣＣＤカメラ１３から出力される画像入力信号ＳPIや、マイク１４から出力される音声入力信号ＳSIを制御部２２が解析することにより、オペレータによって再生の指示が発せられたか否かを判別し、再生指示が発せられることを条件としてメッセージデータを再生するように構成することもできる。この場合、画像入力信号ＳPIや音声入力信号ＳSIを音声認識処理することにより、再生指示を発したオペレータを識別し、各オペレータ毎に予め対応して関連付けられたメッセージデータを再生することもできる。これにより、故人の妻に対しては妻に向けてのメッセージを再生し、故人の息子に対しては息子に向けてのメッセージを再生し、故人の娘に対しては娘に向けてのメッセージというように、特定の人物に合致するメッセージを再生することもできる。
【００３５】
また、本発明の実施の形態では、動体感知センサを採用して人体感知用センサ１７を構成した例を挙げて説明したが、本発明における人体感知手段の構成はこれに限定されず、赤外線センサや光センサを採用して人体の存在有無を感知したり、ＣＣＤカメラ１３から出力される画像入力信号ＳPIまたはマイク１４から出力される音声入力信号ＳSIを音声認識処理して人体の有無を判別する構成を採用することもできる。さらに、本発明の実施の形態では、本発明におけるデータ記録手段としてＨＤＤ１５を採用した例を説明したが、画像データＤｐ、音声データＤｓおよび文字データＤｔなどのメッセージデータの記録手段はこれに限定されず、例えばＭＯドライブ、ＣＤドライブおよびＤＶＤドライブなどを配設してＭＯ、ＣＤおよびＤＶＤなどの大容量リムーバブルメディアにメッセージデータを記録する構成を採用することもできる。この構成によれば、メッセージデータを記録したメディアの運搬や複写が容易のため、例えばメディアを携行することで旅先において汎用のパソコンでメッセージを再生したり、メッセージが記録されたメディアを複写して複数の親族が個々に再生したりすることができる。また、インターフェース部１６の外部機器接続端子１６ａに通信モデムを接続し、例えばこの通信モデムを介して契約業者のホストコンピュータ内にメッセージデータを記録させることもできる。この構成によれば、例えば遠隔地に住む親族が共通のメッセージデータを共有して再生することができる。
【００３６】
さらに、本発明の実施の形態では、温度センサ１８、湿度センサ１９および振動検出用センサ２０から取得した温度、湿度および振動状態に応じて各種のメッセージを再生する例を説明したが、本発明におけるセンサ部の構成はこれに限定されず、各種のセンサによって記録再生装置１の周囲の環境や、オペレータの状態を感知し、その状況に応じたメッセージを再生することができる。また、記録再生装置１に対する各種の指示を入力するためのキーボードを配設したり、表示部１１の上にタッチパネルを配設したりすることで、それらの操作に慣れたオペレータに対しては、迅速かつ確実に所望の指示を入力可能な操作環境を提供することができる。加えて、記録再生装置１の筐体を例えば漆塗り加工したり、専用の脚を設けたりすることにより、記録再生装置１の格調を高めることができ、これにより、再生するメッセージの格調をも高めることができる。また、オープニング画面、エンディング画面または背景画として、家紋、紋章、菩提寺などの神社仏閣、お墓、住職の顔写真、系図、過去帳および故人の趣味に係る写真（例えば植木等）などの画像を表示させることもできる。
【００３７】
【発明の効果】
以上のように、請求項１記載の再生装置によれば、周囲の環境に応じた所定のセンサ信号を出力するセンサ部、および現在日時についての日時データを出力する内部時計の少なくともいずれかと、再生装置の周囲における人体の存在を感知する人体感知手段とを備え、人体感知手段によって人体が感知されたときに、制御部がセンサ信号に対応する環境および日時データから特定される現在日時の少なくともいずれかに予め関連付けられたメッセージデータに対する再生処理を実行することにより、再生処理が実行される毎に、その再生時の環境または現在日時に合致するメッセージデータが選択されて再生されるため、再生するメッセージデータをキーボード操作によって選択する従来の再生装置とは異なり、その際の状況に合致する所定の人物による多種多様なメッセージを自動選択して再生することができる。したがって、例えば、遺族に対して、故人が恰もその場に存在してその考えなども伝達することができる結果、遺族も今まで以上に故人を偲ぶことができる。また、例えば、故人にとっては、自らの生き方や考え方を手軽にかつ確実に遺族に伝えることもできる。さらに、例えばこの再生装置を玄関や居間に置いておくことで、再生装置の前をオペレータ（人体）が通過したときにメッセージを自動的に再生させることができる。このため、キーボードを操作してメッセージデータを再生させる従来の再生装置とは異なり、所定の人物としての故人が生前に残したメッセージを定期的かつ容易に再生することができる。
【００３８】
また、請求項２記載の再生装置によれば、温度センサ、湿度センサ、光センサおよび振動検出用センサの少なくともいずれかを備えてセンサ部を構成したことにより、気温、湿度および明るさに応じたメッセージデータや、地震や火事などの発生時にその旨を知らせるメッセージデータを選択して自動再生することができる。
【００４０】
また、請求項３記載の再生装置によれば、赤外線センサ、光センサおよび動体感知センサの少なくともいずれかを備えて人体感知手段を構成したことにより、例えば音声や映像を解析してオペレータの有無を感知する構成と比較して、非常に簡易な構成でありながら、再生装置の周囲におけるオペレータの存在有無を確実に感知することができると共に再生装置の製造コストを低減することができる。
【００４１】
また、請求項４記載の再生装置によれば、再生するメッセージデータを任意に指定するためのデータ指定手段を備え、データ指定手段によって指定されたメッセージデータに対して制御部が再生処理を実行することにより、再生時の環境または現在日時に応じて自動選択されるメッセージデータのみならず、オペレータが所望するメッセージデータを任意に選択して再生することができる。
【００４２】
また、請求項５記載の記録再生装置によれば、所定の人物の音声を入力して音声信号を出力する音声入力部、所定の人物を撮像して画像信号を出力する画像入力部、および所定の人物に関する文字データを入力するための操作部の少なくともいずれかを備えてデータ入力手段を構成し、音声信号をデータ変換した音声データ、画像信号をデータ変換した画像データ、および操作部を介して入力された文字についての文字データの少なくともいずれかをメッセージデータとして制御部がデータ記録部に記録することにより、この記録再生装置一台でメッセージデータの生成および記録から再生までのすべてを実行することができる。このため、メッセージデータを記録するための他の機器の購入が不要となる結果、故人や遺族の負担を軽減することができる。
【００４３】
また、請求項６記載の記録再生装置によれば、メッセージデータを装置外部から入力するためのインターフェース部を備え、インターフェース部を介して入力したメッセージデータを制御部がデータ記録部に記録することにより、例えば、パーソナルコンピュータ上で編集した各種メッセージデータを記録したり、ビデオカメラで撮影した故人の映像を記録したりすることができる。
【図面の簡単な説明】
【図１】本発明の実施の形態に係る記録再生装置１の構成を示すブロック図である。
【図２】記録再生装置１の外観斜視図である。
【図３】記録再生装置１によるメッセージデータ再生処理３０のフローチャートである。
【符号の説明】
１  記録再生装置
１１  表示部
１２  スピーカ
１３  ＣＣＤカメラ
１４  マイク
１５  ＨＤＤ
１６  インターフェース部
１６ａ  外部機器接続端子
１６ｂ  画像信号入力端子
１６ｃ  音声信号入力端子
１７  人体感知用センサ
１８  温度センサ
１９  湿度センサ
２０  振動検出用センサ
２１  内部時計
２２  制御部
３０  メッセージデータ再生処理
Ｄｄ  日時データ
Ｄｐ  画像データ
Ｄｓ  音声データ
Ｄｔ  文字データ
ＳPI  画像入力信号
ＳPO  画像出力信号
ＳSI  音声入力信号
ＳSO  音声出力信号
Ｓｈ，Ｓｔ，Ｓｌ，Ｓｖ  センサ信号
【図１】
0004315617.tif 000002
【図２】
0004315617.tif 000003
【図３】
0004315617.tif 000004